【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
画面を切り替えて、複数の加工条件からなるコピーメニューの画面を表示し、表示した画面のコピーメニューの加工を実施する手段を備えた画像形成装置において、一つの指示で使用者が選択した指示部の加工条件を選択し選択した加工条件でコピーの実施を指示する指示部を備えたコピーメニューの指示手段を備えた画像形成装置。
【請求項２】
一つの指示で電源をＯＮにして更に使用者が選択した指示部の加工条件を選択し選択した加工条件でコピーの実施を指示する指示部を備えたコピーメニューの指示手段を備えた請求項１の画像形成装置。
【手続補正２】
【補正対象書類名】明細書
【補正対象項目名】全文
【補正方法】変更
【補正の内容】
【発明の詳細な説明】
【発明の名称】画像形成装置
【技術分野】
【０００１】
コピー機能を装備した画像形成装置に関する。
【背景技術】
【０００２】
現在のコピー機能を装備した画像形成装置は、使用者が選択できる加工条件を多く備えており、この多くの加工条件からなるメニューを実施する為に、この画像形成装置の一つの操作盤上に、多くのキーを並べてこの加工を管理する事は、不明瞭となり、不便である。
【０００３】
現在の画像形成装置の主流の技術となっている画面の表示手段（例えば、非特許文献１、図１）は、先ず、例えば、コピーやスキャナーなどの機能を選択する為の画面１を表示し、画面を切り替えて、必要とする、例えば、倍率、用紙サイズなどの複数の加工条件からなる個々のコピーメニューの画面２を取り出し、表示する手段であり、複雑な表示内容を解り易く整理し、便利にする手段である。
【０００４】
反面、この現在の画像形成装置の主流の技術となっている画面の表示手段（例えば、非特許文献１、図１）に、表示される倍率が１００％、用紙サイズが自動などの加工条件からなる基本コピーメニューの実施は、次の欠点を所有する。
【０００５】
【０００６】
図１で示す通り、この基本コピーメニューの画面２は、ホーム画面１のコピー選択の指示部５を選択すると自動で表示され、画面内容を目視確認後、スタートボタンの押し下げで、コピーを行なう事が出来る技術であるが、この画面の中に表示された基本コピーメニューは、スタートボタンを押し下げるまでは、確定されたメニューで無い為、前使用者が変更したメニューに気がつかず、後使用者が誤指示を出す可能性がある技術である。或いは、使用者が前に変更したメニューを忘れ、後で使用者が誤指示を出す可能性がある技術である。
【０００７】
詳しく、これを著すと、例えば、電源スイッチを「ＯＮ」→ホーム画面１の自動表示→コピー選択の指示部５の選択→基本コピーメニューの画面２の自動表示→使用者１によるメニューの変更（登録コピー１画面）→使用者２によるメニューの変更（登録コピー２画面）→電源スイッチをＯＦＦ。電源スイッチを「ＯＮ」→ホーム画面１の自動表示→コピー選択の指示部５の選択→基本コピーメニューの画面２の自動表示→使用者１によるメニューの変更（登録コピー１画面）→使用者２によるメニューの変更（登録コピー２画面）………に於いて、
「基本コピーのつもりでスタートボタンを押したが、登録コピー１或は登録コピー２が実施された」、「登録コピー１のつもりでスタートボタンを押したが、基本コピー或は登録コピー２が実施された」、などと、使用者の意思に関係なく、１つの設定場所（画面）でメニュー内容が人為的、自動的に変化し、簡単にコピーミスを誘発する要因を作り出している。
【０００８】
これらの基本コピーメニューを取り出す為の手間やコピーミスは、日々、最も多く使用される基本コピーに関しており、深刻な問題である。
【０００９】
【００１０】
特許文献１の技術（図４）は、倍率が１００％、用紙サイズが自動などの加工条件からなる原稿優先コピーメニューの選択と確定とスタートの指示を一つで実施する手段であり、現在の画像形成装置の主流の技術（例えば、非特許文献１、図１）の欠点を解消する事が出来る指示手段であるが、この指示手段は、画面を設けた画像形成装置に備える事を想定していない。
【００１１】
【００１２】
【００１３】
【００１４】
【００１５】
【００１６】
同様に、前記の画面表示手段を備えた画像形成装置において、スキャン、ファクス、プリントを行なう技術も、画面から画面を順次、表示し、手間を要する技術である。
【先行技術文献】
【特許文献】
【００１７】
【特許文献１】特開Ｓ６２−８１６６２号公報
【非特許文献】
【００１８】
【非特許文献１】ＦｕｊｉＸｅｒｏｘＤｏｃｕＣｅｎｔｒｅＩＶＣ３３７５説明書
【発明の概要】
【発明が解決しようとする課題】
【００１９】
本願発明の「発明が解決しようとする課題」の要約は、前記の「背景技術」で挙げた現在の画像形成装置の主流の技術となっている画面の表示手段を備えた画像形成装置（例えば、非特許文献１、図１）の欠点を解決する事にある。
【００２０】
【００２１】
【００２２】
【００２３】
現在の画像形成装置（例えば、非特許文献１）と比較して、作業の手間や時間や電力を少なくし、人為的、自動的に加工内容を変更する余地を無くし、指示ミスを誘発するのを防止する手段の提供である。
【課題を解決するための手段】
【００２４】
請求項１の発明は、画面を切り替えて、複数の加工条件からなるコピーメニューの画面を表示し、表示した画面のコピーメニューの加工を実施する手段を備えた画像形成装置において、一つの指示で使用者が選択した指示部の加工条件を選択し選択した加工条件でコピーの実施を指示する指示部を備えたコピーメニューの指示手段を備えた画像形成装置である。
【００２５】
請求項２の発明は、一つの指示で電源をＯＮにして更に使用者が選択した指示部の加工条件を選択し選択した加工条件でコピーの実施を指示する指示部を備えたコピーメニューの指示手段を備えた請求項１の画像形成装置である。
【００２６】
【００２７】
【発明の効果】
【００２８】
概しては、「発明が解決しようとする課題」の要約で挙げた通り、「背景技術」で挙げた問題を解決する。
即ち、画面を表示し、画面を切り替えて、必要とする倍率、用紙サイズなどの加工条件からなるコピーメニューの画面を取り出し表示する画面の表示手段を備えた画像形成装置において、一つの指示により、加工内容を選択し確定し開始する指示手段を設ける事により、倍率、用紙サイズなどの加工条件からなるコピーメニューの加工内容を人為的、自動的に変更する余地をなくし、使用者が気づかぬ間に、予定したメニューが勝手に変更され、簡単に加工内容の指示ミスを誘発するのを防止し、不要な手間や電力や時間を無くす。
【００２９】
尚、各図で示す、（＊）は、人為的動作（作業手順）を示す。
図１の従来技術は、操作動作が３回、確認動作が１回を要し、これに対し、図２、３、５の本願発明技術は、操作動作が２回で済む事を示す。
尚、図５の標準コピーメニューの指示部に電源の入力手段を併設すれば、標準コピーメニューの指示部を選択すれば、電源のＯＮと標準コピーメニューの開始を１回の操作動作で実施する手段を可能にする。
【図面の簡単な説明】
【００３０】
【図１】従来技術のコピーの実施手順を示す概略図。
【図２】本発明のコピーの実施手順を示す概略図。
【図３】本発明のコピーの実施手順を示す概略図。
【図４】特許文献１を示す概略図。
【図５】本発明のコピーの実施手順を示す概略図。
【図６】本発明のコピーの実施手順を示す概略図。
【発明を実施するための形態】
【００３１】
図２は、本発明の概略を示す代表図であり、コピーやスキャナー等の機能を選択する為のホーム画面１１内に、倍率が１００％、用紙サイズが自動などの加工条件からなる標準コピーメニューの指示部１３を設け、この標準コピーメニューの指示部の一つの指示で、標準コピーメニューの選択及び確定及び開始する指示手段を備えた画像形成装置を示している。
【００３２】
この加工の実施は、電源をＯＮ→ホーム画面１１の自動表示→標準コピーメニューの指示部１３の選択→標準コピーメニューが開始される。
【００３３】
尚、標準コピーメニューの指示部１３の表記方法（「標準コピー／倍率１００％、用紙サイズ自動」）のその他の実施例として、「標準コピー／スタート／倍率１００％、用紙サイズ自動」などの別の表記方法が可能である。
尚、標準コピーメニューの指示部の選択後の「標準コピーメニューを開始しました。」を表示する画面などの表示が可能である。
【００３４】
図３は、本発明の概略を示す代表図であり、コピーやスキャナー等の機能を選択する為のホーム画面より先に表示する、倍率が１００％、用紙サイズが自動などの加工条件からなる標準コピーメニューの指示部１３ａを備えた標準コピーメニューの画面１２を設け、この標準コピーメニューの指示部１３ａの一つの指示で、標準コピーメニューの選択及び確定及び開始する指示手段を備えた画像形成装置を示している。
【００３５】
この加工の実施は、電源をＯＮ→標準コピーメニューの画面１２の自動表示→標準コピーメニューの指示部１３ａの選択→標準コピーメニューが開始される。
【００３６】
尚、標準コピーメニューの指示部１３ａの表記方法（「標準コピー／倍率１００％、用紙サイズ自動」）のその他の実施例として、「標準コピー／スタート／倍率１００％、用紙サイズ自動」などの別の表記方法が可能である。
尚、標準コピーメニューの指示部の選択後の「標準コピーメニューを開始しました。」を表示する画面やホーム画面などの表示が可能である。
【００３７】
図５は、本発明の概略を示す代表図であり、コピーやスキャナー等の機能を選択する為のホーム画面１と、この画面外の倍率が１００％、用紙サイズが自動などの加工条件からなる標準コピーメニューのボタン１４Ａと表示部１４Ｂからなる標準コピーメニューの指示部１４を併設し、この標準コピーメニューのボタン１４Ａの一つの指示で、標準コピーメニューの選択及び確定及び開始する指示手段を備えた画像形成装置を示している。
【００３８】
この加工の実施は、電源をＯＮ→標準コピーメニューのボタン１４Ａの選択→標準コピーメニューが開始される。
尚、図５の標準コピーメニューの指示部に電源の入力手段を併設すれば、標準コピーメニューの指示部を選択すれば、電源のＯＮと標準コピーメニューの開始を１回の操作動作で実施する手段を可能にする。
【００３９】
尚、標準コピーメニューの表示部１４Ｂの表記方法（「標準コピー／倍率１００％、用紙サイズ自動」）のその他の実施例として、「標準コピー／スタート／倍率１００％、用紙サイズ自動」などの別の表記方法が可能である。
尚、標準コピーメニューの指示部の選択後の「標準コピーメニューを確定し開始します。」を表示する画面やホーム画面の表示が可能である。
【００４０】
図６は、本発明の概略を示す代表図であり、電源をＯＮ→ホーム画面１の自動表示→コピー選択の指示部５の選択→用紙優先コピーメニューの画面６の表示→用紙優先コピーメニューの指示部７の選択→用紙優先コピーメニューが開始される。
【符号の説明】
【００４１】
１ ホーム画面（従来技術）
２ 基本コピーメニューの画面
３ 原稿優先コピーの指示部
３Ａ 原稿優先コピーのボタン
３Ｂ 原稿優先コピーの表示部
４ 加工条件選択の指示部
４Ａ 加工条件選択のボタン
４Ｂ 加工条件選択の表示部
５ コピー選択の指示部
６ 用紙優先コピーメニューの指示部の画面
７ 用紙優先コピーメニューの指示部
１１ ホーム画面（本願発明技術）
１２ 標準コピーメニューの画面
１３ 標準コピーメニューの指示部
１３ａ 標準コピーメニューの指示部
１４ 標準コピーメニューの指示部
１４Ａ 標準コピーメニューのボタン
１４Ｂ 標準コピーメニューの表示部
【手続補正３】
【補正対象書類名】図面
【補正対象項目名】図２
【補正方法】変更
【補正の内容】
【図２】
2015045982.tif 000001
【手続補正４】
【補正対象書類名】図面
【補正対象項目名】図３
【補正方法】変更
【補正の内容】
【図３】
2015045982.tif 000002
【手続補正５】
【補正対象書類名】図面
【補正対象項目名】図４
【補正方法】変更
【補正の内容】
【図４】
2015045982.tif 000003
【手続補正６】
【補正対象書類名】図面
【補正対象項目名】図５
【補正方法】変更
【補正の内容】
【図５】
2015045982.tif 000004
【手続補正７】
【補正対象書類名】図面
【補正対象項目名】図６
【補正方法】変更
【補正の内容】
【図６】
2015045982.tif 000005